(57)【要約】【課題】携帯電話を紛失等した場合にその携帯電話を操作不能状態とし、その操作不能状態を安全かつ簡易に解除することができる携帯端末保護システムを提供する。【解決手段】制御情報送信手段９１は、操作不能状態への移行を携帯端末８０に指示する制御情報を携帯端末８０に対して送信する。操作停止手段８２は、携帯端末８０の状態を制御する携帯端末制御装置９０から制御情報を受信したときに、携帯端末８０を操作不能状態とする。操作解除手段８３は、携帯端末８０に着脱可能であって携帯端末８０の操作不能状態を解除するための情報を記憶する記憶装置８１を携帯端末８０が装着したときに、携帯電話８０の操作不能状態を解除する。【選択図】図８
2010068047.tif 000002
【特許請求の範囲】
【請求項１】
携帯端末と、
携帯端末の状態を制御する携帯端末制御装置と、
前記携帯端末に着脱可能であって前記携帯端末の操作不能状態を解除するための情報を記憶する記憶装置とを備え、
前記携帯端末制御装置は、
操作不能状態への移行を携帯端末に指示する制御情報を前記携帯端末に対して送信する制御情報送信手段を備え、
前記携帯端末は、
前記携帯端末制御装置から前記制御情報を受信したときに、携帯端末を操作不能状態とする操作停止手段と、
前記携帯端末が前記記憶装置を装着したときに、携帯端末の前記操作不能状態を解除する操作解除手段とを備えた
ことを特徴とする携帯端末保護システム。
【請求項２】
携帯端末は、
当該携帯端末の外側の面に設けられ、電源供給の有無に依存せずに表示状態を維持可能な表示手段を備え、
操作停止手段は、操作不能状態であるときに操作不能状態である旨の情報を前記表示手段に表示させる
請求項１記載の携帯端末保護システム。
【請求項３】
携帯端末は、
当該携帯端末が操作不能状態であるときに操作不能状態である旨の情報を出力する出力手段を備えた
請求項１または請求項２に記載の携帯端末保護システム。
【請求項４】
携帯端末は、
出力手段の出力を制御する制御信号を検知する制御信号検知手段と、
前記制御信号検知手段が制御信号を検知したときに、出力手段の出力を一定時間抑制する動作抑制手段とを備えた
請求項３に記載の携帯端末保護システム。
【請求項５】
携帯端末は、
外部機器とデータの送受信が行われる外部接続端子と、
前記外部接続端子を介して行われるデータの送信を制御するデータ送信制御手段とを備え、
前記データ送信制御手段は、携帯端末が操作不能状態であるときに外部機器へのデータ送信を抑制する
請求項１から請求項４のいずれか１項に記載の携帯端末保護システム。
【請求項６】
携帯端末は、
当該携帯端末の外側の面に設けられ、電源供給の有無に依存せずに表示状態を維持可能な表示手段と、
携帯端末の動作状態を変更する状態変更信号を検知する状態変更信号検知手段と、
前記状態変更信号検知手段が前記状態変更信号を検知したときに、変更後の動作状態を表示手段に表示させる状態変更手段とを備えた
請求項１から請求項５のいずれか１項に記載の携帯端末保護システム。
【請求項７】
携帯端末の状態を制御する携帯端末制御装置から、操作不能状態への移行を携帯端末に指示する制御情報を受信したときに、当該携帯端末を操作不能状態とする操作停止手段と、
携帯端末に着脱可能であって前記携帯端末の操作不能状態を解除するための情報を記憶する記憶装置を装着したときに、携帯端末の前記操作不能状態を解除する操作解除手段とを備えた
ことを特徴とする携帯端末。
【請求項８】
携帯端末の外側の面に設けられ、電源供給の有無に依存せずに表示状態を維持可能な表示手段を備え、
操作停止手段は、操作不能状態であるときに操作不能状態である旨の情報を前記表示手段に出力する
請求項７記載の携帯端末。
【請求項９】
携帯端末の状態を制御する携帯端末制御装置が、操作不能状態への移行を携帯端末に指示する制御情報を携帯端末に送信し、
前記携帯端末が前記制御情報を受信したときに、当該携帯端末を操作不能状態とし、
携帯端末に着脱可能であって前記携帯端末の操作不能状態を解除するための情報を記憶する記憶装置を前記携帯端末が装着したときに、前記携帯端末が前記操作不能状態を解除する
ことを特徴とする携帯端末保護方法。
【請求項１０】
携帯端末が、操作不能状態であるときに、携帯端末の外側の面に設けられ、電源供給の有無に依存せずに表示状態を維持可能な表示手段に操作不能状態である旨の情報を出力する
請求項９記載の携帯端末保護方法。
【請求項１１】
携帯端末として使用されるコンピュータに、
前記コンピュータの状態を制御する制御装置から、操作不能状態への移行をコンピュータに指示する制御情報を受信したときに、当該コンピュータを操作不能状態とする操作停止処理、および、
当該コンピュータに着脱可能であって当該コンピュータの操作不能状態を解除するための情報を記憶する記憶装置を装着したときに、前記操作不能状態を解除する操作解除処理
を実行させるための携帯端末保護プログラム。
【請求項１２】
コンピュータに、
操作不能状態であるときに、当該コンピュータにより実現される携帯端末の外側の面に設けられ、電源供給の有無に依存せずに表示状態を維持可能な表示手段に操作不能状態である旨の情報を出力させる
請求項１１記載の携帯端末保護プログラム。
【発明の詳細な説明】
【技術分野】
【０００１】
本発明は、携帯端末を紛失等した場合に、その携帯端末を操作不能状態とし、さらにその操作不能状態を解除する携帯端末保護システム、およびその携帯端末保護システムに適用される携帯端末、携帯端末保護方法、携帯端末保護プログラムに関する。
【背景技術】
【０００２】
携帯端末は、ポケットや鞄等に入れられて所有者本人により様々な場所に持ち運ばれる。そのため、不注意による紛失、盗難、置き忘れ等、本人の意に反して他人の手に渡るケースが増えている。このような場合、携帯端末に記憶された重要な個人情報などが他人に参照され、悪用されることも多い。そこで、このような問題を解決するため、様々な技術が提案されている。
【０００３】
特許文献１にはＳＩＭカード情報のセキュリティ方法が記載されている。特許文献１記載のＳＩＭカード情報のセキュリティ方法は、ＳＩＭカード（Subscriber Identity Moduleカード）を携帯端末に装着したときに、携帯端末は入力された識別コードと携帯端末に記憶された識別コードとを比較する。識別コードが一致した場合、携帯端末は内部情報の表示を行う。識別コードが一致しない場合、通報先電話番号の連絡先にＳＩＭカード内の個人情報を送信し、携帯端末内の情報を削除する。
【０００４】
特許文献２には外観デザインの変更を行うことを可能にする移動体通信端末が記載されている。特許文献２記載の移動体通信端末は、その外部露出部分に電子ペーパからなる表示パネルが貼り付けられ、制御部からの命令に従って、画像データに基づくケーシング画像を表示する。
【０００５】
特許文献３には携帯電話端末を紛失した場合に不正使用を防止するための携帯電話端末システムが記載されている。特許文献３記載の携帯電話端末システムは、携帯端末の紛失、盗難時に、携帯電話に内蔵されたＩＣタグに記憶されたＩＤ情報と１対１に対応するＩＤ情報を持つＩＣタグカードからそのＩＤ情報を読み取る。携帯電話管理サーバは、そのＩＤ情報に基づいて紛失した携帯電話を操作不能状態へ遷移させる。
【０００６】
特許文献４にはポータブルデータ記憶装置に記憶されているデータの紛失等に対する安全保護方法が記載されている。特許文献４記載の安全保護方法は、ポータブルデータ記憶装置が、予め定められた期間を過ぎたときに無線通信リンクの通信範囲外にある場合に、ユーザにポータブルデータ記憶装置が紛失した旨の警報を行う。
【０００７】
【特許文献１】特開２００３−２６４６３１号公報（段落００２５〜００２８、図１）
【特許文献２】特開２００５−２１０３２０号公報（段落００２４、００３２、図１、図６）
【特許文献３】特開２００６−２７９５７２号公報（段落００５８〜００６２、図２）
【特許文献４】特開２００４−５３６５３４号公報（段落００６１〜００６２）
【発明の開示】
【発明が解決しようとする課題】
【０００８】
特許文献１記載のＳＩＭカード情報のセキュリティ方法は、携帯端末を紛失等した場合、その携帯端末内に記憶された個人情報等を削除してしまうため、その端末が発見され、個人情報等を復旧する作業等を簡易に行うことが出来ないという課題がある。
【０００９】
また、特許文献３記載の携帯電話端末システムでは、携帯電話の操作不能状態を解除するために携帯電話に記憶されたＩＤ情報と１対１に対応するＩＤ情報を持つＩＣタグカードを利用するため、その操作不能状態を簡易に解除することができない。
【００１０】
そこで、本発明は、携帯電話を紛失等した場合にその携帯電話を操作不能状態とし、その操作不能状態を安全かつ簡易に解除することができる携帯端末保護システム、およびその携帯端末保護システムに適用される携帯端末、携帯端末保護方法、携帯端末保護プログラムを提供することを目的とする。
【課題を解決するための手段】
【００１１】
本発明による携帯端末保護システムは、携帯端末と、携帯端末の状態を制御する携帯端末制御装置と、携帯端末に着脱可能であって携帯端末の操作不能状態を解除するための情報を記憶する記憶装置とを備え、携帯端末制御装置が、操作不能状態への移行を携帯端末に指示する制御情報を携帯端末に対して送信する制御情報送信手段を備え、携帯端末が、携帯端末制御装置から制御情報を受信したときに、携帯端末を操作不能状態とする操作停止手段と、携帯端末が記憶装置を装着したときに、携帯端末の操作不能状態を解除する操作解除手段とを備えたことを特徴とする。
【００１２】
本発明による携帯端末は、携帯端末の状態を制御する携帯端末制御装置から、操作不能状態への移行を携帯端末に指示する制御情報を受信したときに、携帯端末を操作不能状態とする操作停止手段と、携帯端末に着脱可能であって携帯端末の操作不能状態を解除するための情報を記憶する記憶装置を装着したときに、携帯端末の操作不能状態を解除する操作解除手段とを備えたことを特徴とする。
【００１３】
本発明による携帯端末保護方法は、携帯端末の状態を制御する携帯端末制御装置が、操作不能状態への移行を携帯端末に指示する制御情報を携帯端末に送信し、携帯端末が制御情報を受信したときに、携帯端末を操作不能状態とし、携帯端末に着脱可能であって携帯端末の操作不能状態を解除するための情報を記憶する記憶装置を携帯端末が装着したときに、携帯端末が操作不能状態を解除することを特徴とする。
【００１４】
本発明による携帯端末保護プログラムは、携帯端末として使用されるコンピュータに、コンピュータの状態を制御する制御装置から、操作不能状態への移行をコンピュータに指示する制御情報を受信したときに、コンピュータを操作不能状態とする操作停止処理、および、コンピュータに着脱可能であってコンピュータの操作不能状態を解除するための情報を記憶する記憶装置を装着したときに、操作不能状態を解除する操作解除処理を実行させることを特徴とする。
【発明の効果】
【００１５】
本発明によれば、携帯電話を紛失等した場合にその携帯電話を操作不能状態とし、その操作不能状態を安全かつ簡易に解除することができる。
【発明を実施するための最良の形態】
【００１６】
以下、本発明の実施形態を図面を参照して説明する。なお、以下の説明では、携帯端末の通常の操作（例えば、画面に内部情報を表示するための操作、電話を発信するための操作など。）を抑制することを「ロックをかける」と記し、その抑制した状態をもとの状態に戻すことを「ロックを解除する」と記す。また、携帯端末が紛失あるいは盗難等により、携帯端末にロックをかける必要がある状態のことを紛失状態と記す。
【００１７】
図１は、本発明による携帯端末保護システムの一実施形態を示すブロック図である。本発明による携帯端末保護システムは、携帯端末１００と、携帯端末制御装置２００とを備えている。携帯端末１００と、携帯端末制御装置２００とは、通信ネットワーク３００を介して接続される。図１に示す例では２台の携帯端末１００を示しているが、携帯端末１００の台数は２台に限定されず、１台であってもよく、３台以上であってもよい。
【００１８】
通信ネットワーク３００は無線通信ネットワークや携帯電話網等であるが、通信ネットワーク３００の形態は特に限定されない。
【００１９】
携帯端末制御装置２００は、通信メッセージ送信部２０１を備える。通信メッセージ送信部２０１は、携帯端末１００にロックをかけるよう指示するメッセージ（以下、情報保護命令）を送信する。
【００２０】
通信メッセージ送信部２０１は、例えば、プログラムに従って動作する携帯端末制御装置２００のＣＰＵによって実現される。例えば、プログラムは、携帯端末制御装置２００の記憶部（図示せず）に記憶され、ＣＰＵは、そのプログラムを読み込み、プログラムに従って通信メッセージ送信部２０１として動作してもよい。
【００２１】
携帯端末１００は、受信制御部１０１と、通信解析制御部１０２と、紛失状態制御部１０５と、電子ペーパ制御部１０６と、ＵＳＢ通信制御部１０７と、ＬＥＤ（Light Emitting Diode）制御部１０８と、バイブレータ制御部１０９と、アラーム制御部１１０と、電子ペーパ１１１と、Ｉ／Ｏ（Input/Output）ポート１１２と、ＬＥＤ１１３と、バイブレータ１１４と、スピーカ１１５と、紛失状態記憶部１１６と、タイマ制御部１１７と、ＳＩＭカード読込制御部１１８と、ＳＩＭカード１１９と、キーボード制御部１２０と、キーボード１２１とを備えている。
【００２２】
受信制御部１０１は、携帯端末制御装置２００からの通信メッセージや、情報保護命令、他の携帯端末１００からの通信メッセージを受信する。受信制御部１０１は、携帯端末制御装置２００からの通信メッセージを受信し、その受信した通信メッセージを通信解析制御部１０２に解析させる。
【００２３】
通信解析制御部１０２は通信メッセージ解析部１０３と、認証部１０４とを含んでいる。通信メッセージ解析部１０３は、携帯端末制御装置２００から受信した通信メッセージをもとに、その通信メッセージが情報保護命令を含むメッセージであるかどうか解析する。認証部１０４は、通信メッセージ解析部１０３が解析した通信メッセージをもとに、その通信メッセージが自端末に対するメッセージであるかどうかの判断を行う。
【００２４】
例えば、携帯端末１００が、端末を識別する識別子を記憶する記憶部（図示せず）を備えており、また、携帯端末制御装置２００からの通信メッセージ中にメッセージの送信先を識別する端末の識別子を含んでいてもよい。この場合、自端末かどうかの判断は、認証部１０４がその記憶部に記憶された端末の識別子と受信したメッセージに含まれた端末の識別子を比較し、その識別子が同一である時に自端末であると判断してもよいが、自端末を判断する方法は、このような方法に限定されない。
【００２５】
受信した通信メッセージが情報保護命令を含む自端末に対するメッセージである場合、通信解析制御部１０２は、紛失状態制御部１０５に紛失時の各種動作を実施させる。
【００２６】
紛失状態記憶部１１６は、携帯端末１００が紛失状態かどうかを示す情報（以下、紛失状態保存フラグと記す。）を記憶する記憶部である。紛失状態記憶部１１６は、例えば、フラッシュメモリなどの不揮発性メモリによって実現される。以下の説明では、紛失状態保存フラグが「有効」であるときに、紛失状態であることを意味し、紛失状態保存フラグが「無効」であるときに、紛失状態ではないことを意味するものとして説明する。
【００２７】
紛失状態制御部１０５は、電子ペーパ制御部１０６、ＵＳＢ通信制御部１０７、ＬＥＤ制御部１０８、バイブレータ制御部１０９、アラーム制御部１１０、およびタイマ制御部１１７の動作を制御する。
【００２８】
電子ペーパ制御部１０６は、紛失状態制御部１０５の指示に応じ、電子ペーパ１１１に表示させる内容を制御する。電子ペーパ１１１は、表示内容を電気的に書き換えることができる表示装置である。電子ペーパ１１１は、例えば、携帯端末１００の筐体背面に配置される。本実施形態では、表示装置として電子ペーパを使用する場合を例に説明するが、表示装置は電子ペーパに限定されない。例えば、表示装置はＬＣＤ（Liquid Crystal Display）等であってもよい。
【００２９】
なお、電子ペーパは、電源を切っても表示を維持できるといった特徴を備えているため、電源がオフにされた状態でもメッセージを表示できる。そのため、電子ペーパを表示装置として用いることにより、長期間にわたってメッセージを表示し続けられるという利点がある。
【００３０】
ＵＳＢ通信制御部１０７は、紛失状態制御部１０５の指示に応じ、Ｉ／Ｏポート１１２から外部装置に送信するデータの通信を制御する。Ｉ／Ｏポート１１２は、外部装置との情報の入出力に使用する外部接続端子である。Ｉ／Ｏポート１１２として使用される外部接続端子として、例えば、ＵＳＢコネクタが挙げられるが、外部接続端子の形態は、ＵＳＢコネクタに限定されない。
【００３１】
ＬＥＤ制御部１０８は、紛失状態制御部１０５の指示に応じ、ＬＥＤ１１３の発光を制御する。ＬＥＤ１１３は、電流を流すことにより発光する発光体であり、例えば、携帯端末１００が紛失状態のとき、ＬＥＤ制御部１０８の指示に応じて点滅する。本実施形態では、発光体としてＬＥＤを使用する場合を例に説明するが、発光体はＬＥＤに限定されない。
【００３２】
バイブレータ制御部１０９は、紛失状態制御部１０５の指示に応じ、バイブレータ１１４の振動を制御する。バイブレータ１１４は、例えば、携帯端末１００が紛失状態のとき、バイブレータ制御部１０９の指示に応じて鳴動する。
【００３３】
アラーム制御部１１０は、紛失状態制御部１０５の指示に応じ、スピーカ１１５に音声等を出力させる。スピーカ１１５は、例えば、携帯端末１００が紛失状態のとき、アラーム制御部１１０の指示に応じ、アラーム（例えば、アラーム音やアラーム音声）を出力する。
【００３４】
本実施形態では、携帯端末１００が、ＬＥＤ１１３、バイブレータ１１４、およびスピーカ１１５を備える場合について説明するが、携帯端末１００は、ＬＥＤ１１３、バイブレータ１１４、スピーカ１１５の全てを備える場合に限られない。例えば、携帯端末１００は、これらのうち、一部のみ備えていてもよい。以下、ＬＥＤの点滅やバイブレータの鳴動などにより、外部に紛失状態を表示している状態を警告状態と記す。
【００３５】
タイマ制御部１１７は、ＬＥＤ１１３、バイブレータ１１４、およびスピーカ１１５が警告状態のとき、ＬＥＤ制御部１０８、バイブレータ制御部１０９およびアラーム制御部１１０に対し、その警告状態を一定時間停止させるよう指示を行う。
【００３６】
ＳＩＭカード１１９は、ＳＩＭカード読込制御部１１８が保守用のＳＩＭカードかどうか判断するための情報を記憶する記憶装置である。保守用のＳＩＭカードとは、紛失状態の携帯端末１００のロックを解除するために用いられる着脱可能な記憶装置である。ＳＩＭカード読込制御部１１８は、携帯端末１００に保守用のＳＩＭカードが装着されたと判断したときに、携帯端末１００のロックを解除する。保守用のＳＩＭカードは、例えば、電気通信事業者によって、携帯端末１００に装着される。
【００３７】
例えば、ＳＩＭカード１１９の内部に、保守用のＳＩＭカードである旨の情報を記憶している場合であれば、ＳＩＭカード読込制御部１１８は、保守用のＳＩＭカードが携帯端末１００に装着されたときにＳＩＭカード１１９に記憶された情報を読み込み、それが保守用のＳＩＭカードであることを判断して携帯端末１００のロックを解除してもよい。
【００３８】
なお、本実施形態では、上記記憶装置としてＳＩＭカードを用いる場合を例に説明するが、記憶装置はＳＩＭカードを用いる場合に限られない。例えば、記憶装置は他のＩＣカード等であってもよい。この場合、ＳＩＭカード読込制御部１１８は、装着されたＩＣカードが、保守用のＩＣカードかどうかを判断すればよい。
【００３９】
キーボード制御部１２０は、例えば、携帯端末１００の使用者が入力装置であるキーボード１２１を介して行われる操作を検知すると、紛失状態制御部１０５は検知した内容に応じた制御を行う。例えば、キーボード制御部１２０がキーボード１２１を介して電源オフの操作を検知すると、紛失状態制御部１０５は携帯端末１００の電源をオフにする。
【００４０】
本実施形態では入力装置としてキーボードを使用する場合を例に説明するが、入力装置はキーボードに限定されない。
【００４１】
システム起動制御部１２２は、ＳＩＭカード読込制御部１１８に、ＳＩＭカード１１９が保守用のＳＩＭカードかどうか判断させる。また、携帯端末制御装置２００からの情報保護命令を携帯端末１００が受信できない状態の時に、その情報保護命令を一時記憶する記憶部（図示せず）を携帯端末制御装置２００が備えている場合であれば、システム起動制御部１２２は、その一時記憶された情報保護命令を携帯端末制御装置２００から受信する。
【００４２】
なお、以下の説明では、システム起動時とは、携帯端末１００の使用者の操作に応じ、携帯端末１００の電源がオンにされた時を意味する。
【００４３】
受信制御部１０１と、通信解析制御部１０２（より詳しくは、通信メッセージ解析部１０３と、認証部１０４）と、紛失状態制御部１０５と、電子ペーパ制御部１０６と、ＵＳＢ通信制御部１０７と、ＬＥＤ制御部１０８と、バイブレータ制御部１０９と、アラーム制御部１１０と、タイマ制御部１１７と、ＳＩＭカード読込制御部１１８と、キーボード制御部１２０とは、例えば、携帯端末保護プログラムに従って動作する携帯端末１００のＣＰＵによって実現される。例えば、携帯端末保護プログラムは、携帯端末１００の記憶部（図示せず）に記憶され、ＣＰＵは、その携帯端末保護プログラムを読み込み、携帯端末保護プログラムに従って各制御部として動作してもよい。
【００４４】
次に、動作について説明する。以下の説明では、携帯端末１００が、初期状態では携帯端末制御装置２００から通信メッセージを受信可能な状態にあり、また、紛失状態保存フラグが無効である場合について説明する。
【００４５】
図２は、情報保護命令が送信されるまでの例を示す説明図である。携帯端末が紛失または盗難にあった場合、携帯端末のユーザは、例えば、電気通信事業者に紛失または盗難届を申請する（ステップＳ１１）。電気通信事業者は、携帯端末制御装置２００の管理者（セキュリティコントロールとも言う）に申請内容等を通知する（ステップＳ１２）。管理者が申請内容等をデータベースに記憶された情報と照合（ステップＳ１３）し、正しい内容であるか判断する。情報が正しいと判断されると、携帯端末制御装置２００は、例えば、管理者の指示に応じて（ステップＳ１４）、対象の携帯端末１００に情報保護命令を送信する（ステップＳ１５）。
【００４６】
図３は、紛失状態フラグを有効にするまで処理の例を示すフローチャートである。携帯端末１００の受信制御部１０１が、携帯端末制御装置２００からの通信メッセージを受信すると（ステップＳ２１におけるＹＥＳ）、通信解析制御部１０２は、通信メッセージ解析部１０３にて通信メッセージの解析を行う（ステップＳ２２）。通信メッセージが情報保護命令でない場合には、再度携帯端末制御装置２００からの通信メッセージを受信するまで待機する（ステップＳ２３におけるＮＯ）。通信メッセージが情報保護命令の場合（ステップＳ２３におけるＹＥＳ）、通信解析制御部１０２は、認証部１０４にて、その通信メッセージが自端末に対する命令であるか判断する（ステップＳ２４）。通信メッセージが自端末に対する命令でない場合には、再度携帯端末制御装置２００からの通信メッセージを受信するまで待機する（ステップＳ２５におけるＮＯ）。通信メッセージが自端末に対する命令の場合（ステップＳ２５におけるＹＥＳ）、紛失状態記憶部１１６に記憶された紛失状態保存フラグを有効にする（ステップＳ２６）。
【００４７】
図４は、紛失状態フラグが有効になった時の処理の例を示すフローチャートである。本実施の形態では、紛失状態制御部１０５は、紛失状態でキーボード上の何らかのキーが押下された時に、一定期間警告状態を解除し、また、キーボード１２１に備えられた電源キーが長押しされた時に、電源をオフにする場合を例に説明する。ただし、一定期間警告状態を解除する方法や電源をオフにする方法は、このような方法に限定されない。
【００４８】
紛失状態制御部１０５が、紛失状態保存フラグが有効であると判断すると、ＵＳＢ通信制御部１０７は、Ｉ／Ｏポート１１２から外部装置に送信するデータ通信を抑制し（ステップＳ３１）、また、電子ペーパ制御部１０６は、電子ペーパ１１１に紛失品の回収を促すメッセージを表示する（ステップＳ３２）。図５は、携帯端末１００が筐体の背面部に電子ペーパ１１１を備えている場合の例を示す説明図である。図５に示す例では、電子ペーパ１１１に、何も表示していない状態（図５（ａ））から、電子ペーパ制御部１０６の指示に応じて、紛失品の回収を促すメッセージを電子ペーパ１１１に表示した状態（図５（ｂ））を表す。
【００４９】
その後、携帯端末１００は、電源オフの状態になるまで以下のステップＳ３４〜ステップＳ４６までの処理を繰り返す（ステップＳ３３）。
【００５０】
ＬＥＤ制御部１０８はＬＥＤ１１３を点滅させ（ステップＳ３４）、アラーム制御部１１０は、スピーカ１１５からアラーム音を発生させ（ステップＳ３５）、バイブレータ制御部１０９は、バイブレータ１１４を鳴動させる（ステップＳ３６）。これらの処理は、キーボード制御部１２０が、キーボード１２１のキーが押下された操作を検知するまで繰り返される（ステップＳ３７におけるＮＯ）。
【００５１】
このように、各制御部が、外部から視認できるよう警告表示を行うことで、紛失、盗難された携帯端末であることを外観で判断することが可能となる。すなわち、外観から紛失、盗難された携帯端末であることが判断でき、この携帯端末を悪用するといった犯罪を思いとどまらせる抑制効果を持つ。よって、悪質な犯罪行為（例えば、転売行為など）を未然に防止することができ、安全性を向上させることができる。
【００５２】
キーボード制御部１２０が、キーボード１２１のキーが押下されたことを検知すると（ステップＳ３７におけるＹＥＳ）、キーボード制御部１２０は、そのキーが電源キーであるか判断する（ステップＳ３８）。キーボード制御部１２０が、押下されたキーが電源キーであると判断すると（ステップＳ３８におけるＹＥＳ）、キーボード制御部１２０はさらに、そのキーが長押しされた操作であるか判断する（ステップＳ３９）。
【００５３】
キーボード制御部１２０が、押下されたキーが電源キーでない（ステップＳ３８におけるＮＯ）、または押下されたキーが電源キーであるが、長押しされていないと判断した場合（ステップＳ３９におけるＮＯ）、ＬＥＤ制御部１０８は、ＬＥＤ１１３の点滅を停止させ（ステップＳ４０）、アラーム制御部１１０は、スピーカ１１５から発生するアラーム音を停止させ（ステップＳ４１）、バイブレータ制御部１０９は、バイブレータ１１４の鳴動を停止させる（ステップＳ４２）。そして、タイマ制御部１１７は、再度、ＬＥＤ制御部１０８がＬＥＤ１１３を点滅させ、アラーム制御部１１０がスピーカ１１５からアラーム音を発生させ、バイブレータ制御部１０９がバイブレータ１１４を鳴動させるこれらの処理を、一定時間停止させる（ステップＳ４３）。
【００５４】
警告状態を一定時間停止させることより、例えば、悪意の使用者が、一時的に警告状態を解除できたと判断しても、一定時間経過後に再度警告状態になるような状態の変化を悪意の使用者に与えることになる。そのことにより、悪意の使用者に精神的影響を与えることができ、悪用を未然に防止することができる。
【００５５】
一方、キーボード制御部１２０が、電源キーが長押しされたと判断すると（ステップＳ３９におけるＹＥＳ）、紛失状態制御部１０５は、携帯端末１００を電源オフの状態にして（ステップＳ４４）、処理を終了する。
【００５６】
また、紛失状態制御中に電池切れとなった場合（ステップＳ４５におけるＹＥＳ）、携帯端末１００は電源オフの状態にして（ステップＳ４６）、処理を終了する。
【００５７】
図６は、ロックを解除する判断を行う処理の例を示すフローチャートである。携帯端末のロックを解除する保守用のＳＩＭカードは、例えば、携帯電話機を販売する電気通信事業者のカスタマーサービスショップにおいて携帯端末１００に取り付けられる。そうでない限り、保守用のＳＩＭカードは携帯端末１００に取り付けられることはなく、携帯端末１００のロックは解除されない。
【００５８】
ＳＩＭカード１１９が携帯端末に装着された後、例えば、電気通信事業者が、携帯端末１００の電源をオンの状態にすると、システム起動制御部１２２は、ＳＩＭカード読込制御部１１８に、保守用のＳＩＭカードが装着（挿入）されているか判断させる（ステップＳ５１）。ＳＩＭカード読込制御部１１８が、保守用のＳＩＭカード１１９が装着されていると判断すると（ステップＳ５１におけるＹＥＳ）、紛失状態制御部１０５は、紛失状態保存フラグを無効にする（ステップＳ５２）。
【００５９】
ＳＩＭカード読込制御部１１８が、保守用のＳＩＭカード１１９が装着されていないと判断すると（ステップＳ５２におけるＮＯ）、紛失状態制御部１０５は、紛失状態保存フラグが有効か否かを判断する（ステップＳ５３）。紛失状態保存フラグが有効の場合（ステップＳ５３におけるＹＥＳ）、図４に示すステップＳ３１以降の処理を行う。紛失状態保存フラグが無効の場合（ステップＳ５３におけるＮＯ）、図３に示すステップＳ２１以降の処理を行う。
【００６０】
図７は、ロックを解除する処理の例を示すフローチャートである。紛失状態制御部１０５が、紛失状態保存フラグを無効にすると、ＵＳＢ通信制御部１０７は、Ｉ／Ｏポート１１２から外部装置に送信するデータの通信のロックを解除し（ステップＳ６１）、また、電子ペーパ制御部１０６は、電子ペーパ１１１の表示を解除する（ステップＳ６２）。
【００６１】
本発明によれば、携帯端末１００の状態を制御する携帯端末制御装置２００から情報保護命令を受信したときに、携帯端末１００にロックをかけ、携帯端末１００に保守用のＳＩＭカードを装着したときに、携帯端末１００のロックを解除する。よって、携帯電話を紛失等した場合にその携帯電話を操作不能状態とし、その操作不能状態を安全かつ簡易に解除することができる
【００６２】
次に、本発明による携帯端末保護システムの変形例について説明する。上記実施形態では、キーボード制御部１２０が、キーボード１２１のキーが押下されたことを検知したときに、タイマ制御部１１７が警告状態を一定時間停止させるよう指示を行う場合を示した。これらの処理の他に、キーボード制御部１２０が、キーボード１２１のキーが押下されたことを検知したときに、電子ペーパ制御部１０６は、押下されたキーの内容に応じた情報を、電子ペーパ１１１に表示してもよい。
【００６３】
例えば、ロックがかけられていない状態で、キーボード制御部１２０が、キーボード１２１のキーを介して、携帯端末の状態をマナーモードに変更する操作を検知した場合、電子ペーパ制御部１０６は、電子ペーパ１１１に対して、マナーモードである旨の表示を行ってもよい。
【００６４】
また、上記実施形態では、キーボード制御部１２０が、電源キーが長押しされたと判断したときに、紛失状態制御部１０５が、携帯端末１００を電源オフの状態にする場合を示した。これらの処理の他に、ロックがかけられていない状態で、キーボード制御部１２０が、電源キーが長押しされたと判断したときに、電子ペーパ制御部１０６が通信不能状態である旨の情報を、電子ペーパ１１１に表示してもよい。
【００６５】
上記のような動作により、携帯端末１００の状態を外観で判断できる。そのため、例えば、通信を抑制している病院などのエリアにおいて、電源をオフにしている（通信不可能状態である）ことを表示したり、音声の出力を抑制しているエリアにおいて、マナーモードであることを表示したりすることにより、他の者に安心感を与えることができる。
【００６６】
図８は、本発明における携帯端末保護システムの概要を示すブロック図である。本発明による携帯端末保護システムは、携帯端末８０（例えば、携帯端末１００）と、携帯端末８０の状態を制御する携帯端末制御装置９０（例えば、携帯端末制御装置２００）と、携帯端末８０に着脱可能であって携帯端末８０の操作不能状態を解除するための情報を記憶する記憶装置８１（例えば、ＳＩＭカード１１９）とを備えている。
【００６７】
携帯端末制御装置９０は、操作不能状態への移行を携帯端末８０に指示する制御情報（例えば、情報保護命令）を携帯端末８０に対して送信する制御情報送信手段９１（例えば、通信メッセージ制御部２０１）を備え、携帯端末８０は、携帯端末制御装置９０から制御情報を受信したときに、携帯端末８０を操作不能状態とする（例えば、ロックをかける）操作停止手段８２（例えば、紛失状態制御部１０５、電子ペーパ制御部１０６）と、携帯端末８０が記憶装置８１を装着したときに、携帯電話８０の操作不能状態を解除する（例えば、ロックを解除する）操作解除手段８３（例えば、紛失状態制御部１０５）とを備えている。
【００６８】
そのような構成により、携帯電話を紛失等した場合にその携帯電話を操作不能状態とし、その操作不能状態を安全かつ簡易に解除することができる。
【００６９】
また、上記実施形態には、携帯端末８０が、携帯端末８０の外側の面に設けられ、電源供給の有無に依存せずに表示状態を維持可能な表示手段（例えば、電子ペーパ１１１）を備え、操作停止手段８２（例えば、電子ペーパ制御部１０６）が、操作不能状態であるときに操作不能状態である旨の情報を表示手段に表示させる構成が開示されている。
【００７０】
そのような構成により、紛失、盗難された携帯端末であることを外観で判断することが可能となり、さらに、電源を切ってもこれらの表示を維持できるため、電源がオフにされた状態でもメッセージを表示することができる。そのため、長期間にわたって紛失、盗難された携帯端末であることを表示し続けることができる。
【００７１】
また、上記実施形態には、携帯端末８０が、携帯端末８０が操作不能状態であるときに操作不能状態である旨の情報を出力する出力手段（例えば、ＬＥＤ制御部１０８、バイブレータ制御部１０９、アラーム制御部１１０、ＬＥＤ１１３、バイブレータ１１４、スピーカ１１５）を備えた構成が開示されている。
【００７２】
そのような構成により、外観から紛失、盗難された携帯端末であることが判断でき、この携帯端末を悪用するといった犯罪を思いとどまらせる抑制効果を持つ。よって、悪質な犯罪行為（例えば、転売行為など）を未然に防止することができ、安全性を向上させることができる。
【００７３】
また、上記実施形態には、携帯端末８０が、出力手段の出力を制御する制御信号を検知する制御信号検知手段（例えば、キーボード制御部１２０）と、制御信号検知手段が制御信号を検知したときに、出力手段の出力動作を一定時間抑制する動作抑制手段（例えば、タイマ制御部１１７）とを備えた構成が開示されている。
【００７４】
そのような構成により、例えば、悪意の使用者が、一時的に警告状態を解除できたと判断しても、一定時間経過後に再度警告状態になるような状態の変化を悪意の使用者に与えることになる。そのことにより、悪意の使用者に精神的影響を与えることができ、犯罪行為を未然に防止することができる。
【００７５】
また、上記実施形態には、携帯端末８０が、外部機器とデータの送受信が行われる外部接続端子（例えば、Ｉ／Ｏポート１１２）と、外部接続端子を介して行われるデータの送信を制御するデータ送信制御手段（例えば、ＵＳＢ通信制御部１０７）とを備え、データ送信制御手段が、携帯端末８０が操作不能状態であるときに外部機器へのデータ送信を抑制する構成が開示されている。
【００７６】
また、上記実施形態には、携帯端末８０が、携帯端末８０の外側の面に設けられ、電源供給の有無に依存せずに表示状態を維持可能な表示手段（例えば、電子ペーパ１１１）と、携帯端末の動作状態を変更する状態変更信号を検知する状態変更信号検知手段（例えば、キーボード制御部１２０）と、状態変更信号検知手段が状態変更信号を検知したときに、変更後の動作状態（例えば、電源オフ、マナーモード）を表示手段に表示させる状態変更手段（例えば、電子ペーパ制御部１０６）とを備えた構成が開示されている。
【００７７】
そのような構成により、携帯端末１００の状態を外観で判断できる。そのため、例えば、通信を抑制している病院などのエリアにおいて、電源をオフにしている（通信不可能状態である）ことを表示したり、音声の出力を抑制しているエリアにおいて、マナーモードであることを表示したりすることにより、他の者に安心感を与えることができる。
【産業上の利用可能性】
【００７８】
本発明は、携帯端末を紛失等した場合に、その携帯端末を操作不能状態とし、さらにその操作不能状態を解除する携帯端末保護システムに好適に適用される。
【図面の簡単な説明】
【００７９】
【図１】本発明による携帯端末保護システムの一実施形態を示すブロック図である。
【図２】情報保護命令が送信されるまでの例を示す説明図である。
【図３】紛失状態フラグを有効にするまで処理の例を示すフローチャートである。
【図４】紛失状態フラグが有効になった時の処理の例を示すフローチャートである。
【図５】電子ペーパ１１１の表示の例を示す説明図である。
【図６】ロックを解除する判断を行う処理の例を示すフローチャートである。
【図７】ロックを解除する処理の例を示すフローチャートである。
【図８】本発明における携帯端末保護システムの概要を示すブロック図である。
【符号の説明】
【００８０】
１００  携帯端末
１０１  受信制御部
１０２  通信解析制御部
１０３  通信メッセージ解析部
１０４  認証部
１０５  紛失状態制御部
１０６  電子ペーパ制御部
１０７  ＵＳＢ通信制御部
１０８  ＬＥＤ制御部
１０９  バイブレータ制御部
１１０  アラーム制御部
１１１  電子ペーパ
１１２  Ｉ／Ｏポート
１１３  ＬＥＤ
１１４  バイブレータ
１１５  スピーカ
１１６  紛失状態記憶部
１１７  タイマ制御部
１１８  ＳＩＭカード読込制御部
１１９  ＳＩＭカード
１２０  キーボード制御部
１２１  キーボード
１２２  システム起動制御部
２００  携帯端末制御装置
３００  通信ネットワーク
【図１】
2010068047.tif 000003
【図２】
2010068047.tif 000004
【図３】
2010068047.tif 000005
【図４】
2010068047.tif 000006
【図５】
2010068047.tif 000007
【図６】
2010068047.tif 000008
【図７】
2010068047.tif 000009
【図８】
2010068047.tif 000010